(57)【要約】【課題】  従来、自動でカラーあるいは白黒データとして判別され、これらのデータに適した画像処理が行われていたＯＡ機器に対して、ユーザが画像処理に関して指示を行うことを可能とする。【解決手段】  ユーザは文書データのページあるいはエリアを選択し、この選択した領域に対してカラーあるいは白黒データとして画像処理を行うことを指示することで、文書データのデータ量が変更される構成とする。【選択図】  図１
2007281588.tif 000002
【特許請求の範囲】
【請求項１】
画像処理装置であって、
前記画像処理装置において処理されるデータに対して範囲を選択する範囲選択手段と、
前記範囲選択手段により選択された範囲のデータに対して画像処理方法を選択する画像処理方法選択手段と、
前記画像処理方法選択手段により、前記画像処理装置で処理されるデータ量が変更されるデータ量変更手段と、
前記画像処理により処理された前記データを送信する手段とを備えた画像処理装置。
【発明の詳細な説明】
【技術分野】
【０００１】
本発明は、画像処理装置に関し、特に画像処理装置で処理されるデータに対して処理方法を選択することで、画像処理後のデータ量を変更し、さらに画像処理後のデータをネットワークを介して送信する技術に関するものである。
【背景技術】
【０００２】
カラー画像を処理することのできるOA機器は、ユーザの用意した文書データに対し、自動でカラーあるいは白黒データであることを判別することが可能である。従来、OA機器はこの機能を使用し、文書データをカラーあるいは白黒データに分割し、それぞれに適した画像処理を行ってきた。
【０００３】
又、別の従来例としては、特許文献１をあげることが出来る。
【特許文献１】特開平07-203164号公報
【発明の開示】
【発明が解決しようとする課題】
【０００４】
しかし、文書データをカラーあるいは白黒データに分割する機能は、自動で実行されるため、ユーザが意図的にカラーデータを白黒データとして扱う指示を行うことはできなかった。このため、ユーザは文書データに対する画像処理方法を選択することができず、OA機器の算出した課金に従う必要があった。
【課題を解決するための手段】
【０００５】
上記問題を解決するために、請求項1の発明では、文書データを処理する画像処理装置において、ユーザが文書データ内のページあるいはエリアを選択する手段と、ユーザに選択されたページあるいはエリア内の文書データに対してカラーあるいは白黒データとしての画像処理方法を選択する手段と、画像処理方法を選択することで、文書データのデータ量が変更される手段と、画像処理後のデータをネットワークを介して送信する手段とを具備した画像処理装置を特徴とする。
【発明の効果】
【０００６】
以上の説明により、本発明の画像処理装置により、ユーザは文書データのページあるいはエリアを選択し、この選択した領域に対してカラーあるいは白黒データとして画像処理を行うことを指示することで、文書データのデータ量が変更される。この結果、従来、自動でカラーあるいは白黒データとして判別され、これらのデータに適した画像処理が行われていたOA機器に対して、ユーザは画像処理に関して指示を行うことが可能となる。また、文書データのデータ量が削減されれば、課金も削減されることも可能となり、ユーザの使用目的に対して、より柔軟なOA機器を提供することができる。
【発明を実施するための最良の形態】
【０００７】
次に、本発明の詳細を実施例の記述に従って説明する。
【０００８】
以下、本発明の実施の形態について図を用いて詳細に説明する。
【０００９】
図11は、本発明の実施の形態における基本構成を示す図であり、画像処理装置1000はネットワーク1002を介してユーザの使用するクライアント装置1001に接続されている。
【００１０】
クライアント装置1001は、画像処理装置1000で作成されたデータを受信する装置であり、パーソナルコンピュータにより実現される。
【００１１】
ネットワーク1003は、Ethernet（登録商標）で接続されたローカルエリアネットワークである。
【００１２】
図12は、本発明の実施の形態における画像処理装置1000を示す図であり、文書をカラー情報を含む電子データに変換するスキャナ部2000と、電子データを印刷する印刷部3000と、ユーザが画像処理装置1000を操作するパネル部4000と、画像処理装置1000を制御する装置制御部5000から構成される。また、装置制御部5000にはネットワーク1003に接続するためのネットワークインタフェース1200が具備される。
【００１３】
図1は、本発明の実施の形態における画像処理装置1000の構成を示す図であり、スキャナ部2000と、印刷部3000と、パネル部4000および装置制御部5000は、外部バス6000を介して接続されている。また、これらのブロック以外に、画像処理装置で用いられるソフトウェア、一時的なデータの保存に使用されるハードディスク1100と、ネットワークに接続するためのインタフェースであるネットワークインタフェース1200も外部バスに接続されている。この他、画像処理装置1000内には、各ブロックに電源を供給する電源部1300が存在する。本発明の実施例では、装置制御部5000により電源部1300を制御することが可能であり、この制御により画像処理装置の消費する電力を低減させることができる。
【００１４】
図2は、本発明の実施の形態におけるスキャナ部2000の構成を示す図であり、外部バス6000とのインタフェースであるスキャナ部外部バスインタフェース2003と、文書を読み取りカラー情報を含む電子データを作成するスキャナエンジン部2002と、これらを制御するスキャナ制御部2001から構成される。また、スキャナ制御部2001、スキャナエンジン部2002およびスキャナ部外部バスインタフェース2003は、スキャナ部内部バス2004を介して接続されている。
【００１５】
図3は、本発明の実施の形態における印刷部3000の構成を示す図であり、外部バス6000とのインタフェースである印刷部外部バスインタフェース3003と、電子データを紙に印刷する印刷エンジン部3002と、これらを制御する印刷制御部3001から構成される。また、印刷制御部3001、印刷エンジン部3002および印刷部外部バスインタフェース3003は、印刷部内部バス3004を介して接続されている。
【００１６】
図4は、本発明の実施の形態におけるパネル部4000の構成を示す図であり、外部バス6000とのインタフェースであるパネル部外部バスインタフェース4003と、画像処理装置1000の操作メニューを表示する標示部4002と、これらを制御するパネル制御部4001から構成される。また、パネル制御部4001、表示部4002およびパネル部外部バスインタフェース4003は、パネル部内部バス4004を介して接続されている。
【００１７】
本発明の実施の形態では、ユーザはパネル部4000に直接触れることで画像処理装置1000を操作する。
【００１８】
図5は、本発明の実施の形態における装置制御部5000の構成を示す図であり、画像処理装置1000の制御において中心的役割を担うCPU5001と、電子データに対して適切な画像処理を行う画像処理部5002と、CPU5001で実行されるソフトウェアが記録されたROM5003と、画像処理等の内部処理でデータを一時的に保持するために使用されるRAM5004と、外部バス6000とのインタフェースである装置部外部バスインタフェース5005から構成されている。
【００１９】
図6は、本発明の実施の形態における基本処理手順を示す図である。
【００２０】
画像処理装置1000はパネル部4000よりサービス指示を受けるまでサービス指示待ち(ステップ101 No)となり、サービスを受信(ステップ101 Yes)すると、スキャナ部2000にて文書をカラー情報を含んだ電子データに変換(ステップ102)する。
【００２１】
文書の電子化が終了すると、パネル部4000に表示されたユーザインタフェース部により、ユーザに対してページあるいはエリア単位で画像処理方法を選択(ステップ103)させる。
【００２２】
その後、ユーザが画像処理選択後の結果を確認(ステップ104)し、結果に同意する場合(ステップ104 Yes)は、画像処理装置1000による画像処理を開始(ステップ105)し、処理を終了し、結果に同意しない場合(ステップ104 No)は、再度、ページあるいはエリア単位における画像処理方法の選択(ステップ103)を実施する。
【００２３】
図7は、本発明の実施の形態におけるユーザインタフェース部4001の構成を示す図であり、ユーザインタフェース部4001はパネル部4000上に表示される。ユーザインタフェース部4001において、文書の縮小画像である文書ページ4013と、表示されている文書ページ4013の前のページを選択し表示する前へボタン部4002と、表示されている文書ページ4013の次のページを選択し表示する次へボタン部4003と、表示されている文書ページ4013を拡大する拡大ボタン部4004と、表示されている文書ページ4013を縮小する縮小ボタン部4005と、表示されている文書ページ4013のエリアを選択する指示を行うエリア選択ボタン部4006と、表示されている文書ページ4013をカラーで処理する指示を行う選択カラーボタン部4007と、表示されている文書ページ4013を白黒で処理する指示を行う選択白黒ボタン部4008と、文書の全ページをカラーで処理する指示を行う全カラーボタン部4009と、文書の全ページを白黒で処理する指示を行う全白黒ボタン部4010と、現在の処理がキャンセルされ前の状態に戻ることを可能とするキャンセルボタン部4011と、全ての文書ページ4013に対してカラーあるいは白黒での画像処理を選択し、画像処理装置1000に対してサービス開始を指示するサービス開始ボタン部4012から構成されている。
【００２４】
エリア選択ボタン部4006を押下された場合、ユーザは文書ページ4013が表示されている画面上にて2点を選択する。
【００２５】
本画像処理装置1000は、ユーザの選択した2点を頂点とした矩形領域4014をエリアとして抽出し、ユーザは抽出されたエリアに対して、選択カラーボタン部4007あるいは選択白黒ボタン部4008を押下する。選択カラーボタン部4007が押下された場合は、ユーザの選択した領域がカラーで処理されることになり、選択白黒ボタン部4008が押下されたばあいは、ユーザの選択した領域が白黒で処理される。
【００２６】
図8は、本発明の実施の形態におけるエリア選択操作を示す図であり、ユーザは、文書ページ4013が表示されているパネル部4000上において、パネル部4000を押下することで始点4015および終点4016を選択する。
【００２７】
画像処理装置1000は、文書ページ4013上にて選択された始点4015および終点4016から矩形領域4014をエリアとして抽出する。
【００２８】
図9は、本発明の実施の形態におけるエリア選択操作の処理手順を示す図であり、ユーザがエリア選択ボタン部4006を押下された直後に処理されるものである。
ユーザがエリア選択ボタン部4006を押下すると、画像処理装置1000はユーザのパネル操作待ち(ステップ201)となる。
【００２９】
ユーザがキャンセルボタン部4011を押下(ステップ202 Yes)すれば、エリア選択操作はキャンセルされる。
【００３０】
ユーザの押下した場所がキャンセルボタン部4011ではなく(ステップ202 No)、文書ページ4013のエリア内であれば(ステップ203 Yes)、再び画像処理装置1000はユーザのパネル操作待ち(ステップ204)となる。
【００３１】
この状態で、ユーザがキャンセルボタン部4011を押下(ステップ205 Yes)すれば、エリア選択操作はキャンセルされる。
【００３２】
また、ユーザの押下した場所がキャンセルボタン部4011ではなく(ステップ205 No)、文書ページ4013のエリア内であれば(ステップ206 Yes)、画像処理装置1000は、ユーザの選択した文書ページ4013上の2点より矩形領域を算出(ステップ207)し、エリア選択操作を終了する。
【００３３】
ユーザの押下した場所がキャンセルボタン部4011ではなく、さらに、文書ページ4013のエリア内でなければ(ステップ203, 206 No)、それぞれユーザのパネル操作待ち(ステップ201, 204)となる。
【００３４】
ユーザは、文書をスキャナ部2000にてカラー情報を含む電子データに変換し、カラー情報を含む電子データに対してユーザインタフェース部4001にてページあるいはエリア単位でカラーおよび白黒の画像処理方法を選択後、開始ボタン部4012を押下する。
【００３５】
ユーザからサービス開始を指示された画像処理装置1000は、ユーザの指示に従い、電子データのカラー情報を変更する。
【００３６】
ユーザが、本来カラー情報を持つ文書ページ4013に対して、白黒処理の実行を指示することにより、画像処理の対象となる電子データのデータ量を削減することが可能となり、この結果、画像処理装置1000での処理時間が短縮できる。
【００３７】
本発明の実施の形態では、ユーザが、本来カラー情報を持つ文書ページ4013に対して、白黒処理の実行を指示することにより、画像処理装置1000の処理量を削減することが可能であることから、削減されたデータ量に従い、ユーザの負担する料金を変更する処理を行っている。
【００３８】
図10は、本発明の実施の形態における料金算出までの処理手順を示す図である。
【００３９】
ユーザがスキャナ部2000で文書を電子化(ステップ301)し、電子化された文書のデータ量を保存(ステップ302)する。
【００４０】
次に、ユーザはページあるいはエリア単位での画像処理方法を選択(ステップ303)し、その結果による電子データのデータ量を算出(ステップ304)する。
【００４１】
画像処理装置1000の内部に保存された料金テーブルから、それぞれ算出された文書のデータ量に従い、料金を算出(ステップ305)し、パネル部4000にそれぞれの料金を表示(ステップ306)する。
【００４２】
ここまでの処理により、ユーザは、ページあるいはエリア単位での画像処理方法選択により、サービスに対する料金の差分を確認することができる。
【００４３】
次に、ユーザは、画像処理されたデータを送信する宛て先であるE-Mailのアドレスを入力(ステップ307)し、画像処理装置1000は、画像処理されたデータをE-Mailに添付し、ユーザが指定したアドレスに送信(ステップ308)する。
【図面の簡単な説明】
【００４４】
【図１】本発明の実施の形態で用いる画像処理装置の構成図。
【図２】本発明の実施の形態で用いるスキャナ部の構成図。
【図３】本発明の実施の形態で用いる印刷部の構成図。
【図４】本発明の実施の形態で用いるパネル部の構成図。
【図５】本発明の実施の形態で用いる装置制御部の構成図。
【図６】本発明の実施の形態で用いる画像処理装置の基本処理手順図。
【図７】本発明の実施の形態で用いるユーザインタフェース部の構成図。
【図８】本発明の実施の形態で用いる画像処理装置のエリア選択操作図。
【図９】本発明の実施の形態で用いる画像処理装置のエリア選択手順図。
【図１０】本発明の実施の形態で用いる処理手順図。
【図１１】本発明の実施の形態で用いる基本構成図。
【図１２】本発明の実施の形態で用いる画像処理装置。
【図１】
2007281588.tif 000003
【図２】
2007281588.tif 000004
【図３】
2007281588.tif 000005
【図４】
2007281588.tif 000006
【図５】
2007281588.tif 000007
【図６】
2007281588.tif 000008
【図７】
2007281588.tif 000009
【図８】
2007281588.tif 000010
【図９】
2007281588.tif 000011
【図１０】
2007281588.tif 000012
【図１１】
2007281588.tif 000013
【図１２】
2007281588.tif 000014